【手続補正書】
【提出日】平成25年10月16日(2013.10.16)
【手続補正１】
【補正対象書類名】特許請求の範囲
【補正対象項目名】全文
【補正方法】変更
【補正の内容】
【特許請求の範囲】
【請求項１】
少なくとも１つの溶媒と、少なくとも１つの薬理学的作用物質と、輸送メディエータまたは輸送メディエータの混合物とを含む組成物の使用において、前記輸送メディエータまたは前記輸送メディエータの前記混合物が少なくとも１５０℃の沸点を有し、前記輸送メディエータまたは前記輸送メディエータの前記混合物が２０℃で油性または固体のコンシステンシーを有し、免疫反応をひき起こさず、前記輸送メディエータまたは前記輸送メディエータの前記混合物が血管拡張のためのカテーテルバルーンのコーティング用に使用され、前記輸送メディエータまたは前記輸送メディエータの前記混合物が造影剤ではない、使用。
【請求項２】
前記輸送メディエータがポリマーでなく、前記輸送メディエータの前記混合物がポリマーを含まない、及び／または、
前記輸送メディエータが少なくとも６個の炭素原子または少なくとも２個の酸素原子または少なくとも１個の窒素原子を有する、及び／または、
前記輸送メディエータまたは前記輸送メディエータの前記混合物が、２０℃で２５Ｐａ未満の蒸気圧を有する、及び／または、
前記輸送メディエータが脂溶性であり、ブタノールと水との間の分配係数が０．５以上である、
請求項１に記載の使用。
【請求項３】
前記輸送メディエータが脂溶性であり、前記輸送メディエータは、ブタノールと水との間の分配係数が０．５以下であるように親水性エステル化されている、及び／または、
前記輸送メディエータが親水性であり、前記輸送メディエータは、ブタノールと水との間の分配係数が０．５以上であるように疎水性エステル化されている、及び／または、
前記輸送メディエータまたは前記輸送メディエータの前記混合物が、外部に対して親水性を有するミセルを形成しない、
請求項１または２に記載の使用。
【請求項４】
前記輸送メディエータが少なくとも１つのイオン官能基またはイオン性官能基を有する、及び／または、
前記輸送メディエータが水素結合を形成できる、及び／または、
前記輸送メディエータが細胞壁の水分を増大させることができる、
請求項１〜３のいずれか１項に記載の使用。
【請求項５】
前記輸送メディエータが細胞壁内で水素結合を開裂できる、及び／または、
前記輸送メディエータが、脂質二重層の脂質および／または脂質二重層の炭化水素と相互作用できる、及び／または、
前記輸送メディエータが、１５０ｇ／ｍｏｌ〜３００ｇ／ｍｏｌの分子量を有する、及び／または、
前記輸送メディエータが細胞膜を通過できる、
請求項１〜４のいずれか１項に記載の使用。
【請求項６】
前記輸送メディエータが、アミド、フェノール、フェノールエステル、フェノールエーテル、芳香族アルコール、芳香族酸、スルホキシド、有機ホウ素化合物、炭素原子２〜６個の多価アルコール、脂肪酸とアルコールのモノグリセリド、脂肪酸エーテル、テルペン系炭化水素、炭素原子が少なくとも８個のアルコール、複素環化合物、アルカロイド、ナノ粒子、酵素および第４アンモニウム塩からなる群から選択される、請求項１〜５のいずれか１項に記載の使用。
【請求項７】
前記のアミド、フェノール、フェノールエステル、フェノールエーテル、芳香族アルコール、芳香族酸、スルホキシド、有機ホウ素化合物、炭素原子２〜６個の多価アルコール、脂肪酸とアルコールのモノグリセリド、脂肪酸エーテル、テルペン系炭化水素、炭素原子が少なくとも８個のアルコール、複素環化合物、アルカロイド、ナノ粒子、酵素および第４アンモニウム塩が、
尿素、ＤＭＦ、ＤＭＡ、シクロホスファミド、アルカノールアミド、アニソール、アネトール、バニリン、コニフェリン、チモール、カルバコール、サリチル酸、サリチル酸アルコール、フェニルエタノール、コーヒー酸、フェルラ酸、桂皮アルコール、アドレナリン、ドーパミン、アンフェタミン、ホウ酸エステル、１，２−エタンジオール、１，２−プロパンジオール、１，３−プロパンジオール、プロパントリオール、ラクチトール、マンニトール、ズルシトール、イソマルト（Ｉｓｏｍａｌｔ）、スクロース、キシリトール、アリターム、マルチトール、２−エチル−１，３−ヘキサンジオール、モノオレイン酸グリセリン、モノリノール酸グリセリン、モノラウリン酸グリセリン、マルトール、メグルミン、アシルグリセリド、ポリオキシエチレンラウリルエーテル、ジエチレングリコールラウリルエーテル、ポリエチレングリコールモノラウリルカルボキシメチルエーテル、単環式テルペン、チモール、α−テルピネオール、β−テルピネオール、ガンマ−テルピネオール、１，８−テルピン、１，８−シネオール、二環式テルペン、カラン、ピナン、ボルナン、α−ピネン、３−カレン、ボルネオール、ショウノウ、単環式セスキテルペン、ビサボレン、ファルネソール、非環式テルペン、ミルセン、オシメン、フェランドレン、リナロール、三環式セスキテルペン、サンタレン、トリテルペン、スクアレノイド、スクアレン、フシデ（Ｆｕｓｉｄｅ）、四環式トリテルペン酸、ラノステロール、テトラテルペン、カロチノイド、カロテン、リコピン、ルテイン、ゼアキサンチン、クロセチン、リポクロム、ポリプレン、雄性および雌性ステロイドホルモン、アンドロゲン、エストロゲン、ゲスタゲン、テストステロン、アンドロステロン、エストリオール、エストラジオール、エストロン、フォスフェストロール、チボロン、プロルトン、プロゲステロン、コルチコイド、コルチゾール、コルチゾン、アルドステロン、トリアムシノロン、アルカノール、ミリスチルアルコール、ステアリルアルコール、ステロール、アルキル−２−（Ｎ，Ｎ−二置換アミノ）−アルカノエート、アルキル−２−（Ｎ，Ｎ−二置換アミノ）−アルカノールアルカノエート、Ｎ−メチルピロリドン、ビリルビン、ビオチン、スルファメトキサゾール、１−置換アザシクロアルカン−２−オン、ラウロカプラム、（１−ドデシルアザシクロヘプタン−２−オン）および誘導体、シクロデキストリン、アザシクロアルケン、クロルヒドリン、グリシジルトリメチルアンモニウムハロゲニド、３−クロロ−２−ヒドロキシプロピルトリメチルアンモニウムハロゲニド、ドデシルトリメチルアンモニウムハロゲニド、ヘキサデシルトリメチルアンモニウムハロゲニド、テトラデシルトリメチルアンモニウムハロゲニド、フマル酸ステアリルナトリウム、フマル酸およびアルキル−（ポリオキシエチル）−ホスフェート、カラギーナンから選択されている、請求項６に記載の使用。
【請求項８】
バルーンカテーテルのコーティング方法において、
ａ）少なくとも１つの溶媒と、少なくとも１つの薬理学的作用物質と、輸送メディエータまたは輸送メディエータの混合物と含む組成物を提供するステップであって、
該ステップにおいて、前記輸送メディエータまたは前記輸送メディエータの前記混合物が少なくとも１５０℃の沸点を有し、前記輸送メディエータまたは前記輸送メディエータの前記混合物が２０℃で油性または固体のコンシステンシーを有し、免疫反応をひき起こさず、前記輸送メディエータまたは前記輸送メディエータの前記混合物が血管拡張のためのカテーテルバルーンのコーティング用に使用され、前記輸送メディエータまたは前記輸送メディエータの前記混合物が造影剤ではない、ステップと；
ｂ）カテーテルバルーンを有するバルーンカテーテルを提供するステップと；
ｃ）噴出法、ピペット法、毛管法、折畳みスプレー法、ドラグ法、糸ドラグ法またはローリング法によってカテーテルバルーンをコーティングするステップと；
ｄ）バルーンの表面上のコーティングを乾燥させるか、または溶媒を除去するステップと、
を含む方法。
【請求項９】
請求項８に記載の方法により得ることのできるバルーンカテーテル。
【請求項１０】
少なくとも１つの薬理学的作用物質と輸送メディエータまたは輸送メディエータの混合物との乾燥した油性または固体のコーティングを有するカテーテルバルーンを含むバルーンカテーテルにおいて、血管拡張のためのカテーテルバルーンのコーティングを目的とし、前記輸送メディエータまたは前記輸送メディエータの前記混合物が少なくとも１５０℃の沸点を有し、前記輸送メディエータまたは前記輸送メディエータの前記混合物が２０℃で油性または固体のコンシステンシーを有し、免疫反応をひき起こさず、前記輸送メディエータまたは前記輸送メディエータの前記混合物が造影剤ではない、バルーンカテーテル。
【請求項１１】
前記輸送メディエータがポリマーでなく、前記輸送メディエータの前記混合物がポリマーを含まない、及び／または、
前記輸送メディエータが少なくとも６個の炭素原子または少なくとも２個の酸素原子または少なくとも１個の窒素原子を有する、及び／または、
前記輸送メディエータまたは前記輸送メディエータの前記混合物が、２０℃で２５ｋＰａ未満の蒸気圧を有する、及び／または、
前記輸送メディエータが脂溶性であり、ブタノールと水との間の分配係数が０．５以上である、
請求項１０に記載のバルーンカテーテル。
【請求項１２】
前記輸送メディエータが脂溶性であり、前記輸送メディエータは、ブタノールと水との間の分配係数が０．５以下であるように親水性エステル化されている、及び／または、
前記輸送メディエータが親水性であり、前記輸送メディエータは、ブタノールと水との間の分配係数が０．５以上であるように疎水性エステル化されている、及び／または、
前記輸送メディエータまたは前記輸送メディエータの前記混合物が、外部に対する親水性をもつミセルを形成しない、
請求項１０または１１に記載のバルーンカテーテル。
【請求項１３】
前記輸送メディエータが少なくとも１つのイオン官能基またはイオン性官能基を有する、及び／または、
前記輸送メディエータが水素結合を形成できる、及び／または、
前記輸送メディエータが細胞壁の水分を増大させることができる、及び／または、
前記輸送メディエータが細胞壁内で水素結合を開裂できる、及び／または、
前記輸送メディエータが、脂質二重層の脂質および／または脂質二重層の炭化水素と相互作用できる、及び／または、
前記輸送メディエータが、１５０ｇ／ｍｏｌ〜３００ｇ／ｍｏｌの分子量を有する、及び／または、
前記輸送メディエータが細胞膜を通過できる、
請求項１０〜１２のいずれか１項に記載のバルーンカテーテル。
【請求項１４】
前記輸送メディエータが、アミド、フェノール、フェノールエステル、フェノールエーテル、芳香族アルコール、芳香族酸、スルホキシド、有機ホウ素化合物、炭素原子２〜６個の多価アルコール、脂肪酸とアルコールのモノグリセリド、脂肪酸エーテル、テルペン系炭化水素、炭素原子が少なくとも８個のアルコール、複素環化合物、アルカロイド、ナノ粒子、酵素および第４アンモニウム塩からなる群から選択される、請求項１０〜１３のいずれか１項に記載のバルーンカテーテル。
【請求項１５】
前記のアミド、フェノール、フェノールエステル、フェノールエーテル、芳香族アルコール、芳香族酸、スルホキシド、有機ホウ素化合物、炭素原子２〜６個の多価アルコール、脂肪酸とアルコールのモノグリセリド、脂肪酸エーテル、テルペン系炭化水素、炭素原子が少なくとも８個のアルコール、複素環化合物、アルカロイド、ナノ粒子、酵素および第４アンモニウム塩が、
尿素、ＤＭＦ、ＤＭＡ、シクロホスファミド、アルカノールアミド、アニソール、アネトール、バニリン、コニフェリン、チモール、カルバコール、サリチル酸、サリチル酸アルコール、フェニルエタノール、コーヒー酸、フェルラ酸、桂皮アルコール、アドレナリン、ドーパミン、アンフェタミン、ホウ酸エステル、１，２エタンジオール、１，２−プロパンジオール、１，３−プロパンジオール、プロパントリオール、ラクチトール、マンニトール、ズルシトール、イソマルト（Ｉｓｏｍａｌｔ）、スクロース、キシリトール、アリターム、マルチトール、２−エチル−１，３−ヘキサンジオール、モノオレイン酸グリセリン、モノリノール酸グリセリン、モノラウリン酸グリセリン、マルトール、メグルミン、アシルグリセリド、ポリオキシエチレンラウリルエーテル、ジエチレングリコールラウリルエーテル、ポリエチレングリコールモノラウリルカルボキシメチルエーテル、単環式テルペン、チモール、α−テルピネオール、β−テルピネオール、ガンマ−テルピネオール、１，８−テルピン、１，８−シネオール、二環式テルペン、カラン、ピナン、ボルナン、α−ピネン、３−カレン、カンフェン、ボルネオール、ショウノウ、単環式セスキテルペン、ビサボレン、ファルネソール、非環式テルペン、ミルセン、オシメン、リナロール、三環式セスキテルペン、サンタレン、トリテルペン、スクアレノイド、スクアレン、フシデ（Ｆｕｓｉｄｅ）、四環式トリテルペン酸、ラノステロール、テトラテルペン、カロチノイド、カロテン、リコピン、ルテイン、ゼアキサンチン、クロセチン、リポクロム、ポリプレン、雄性および雌性ステロイドホルモン、アンドロゲン、エストロゲン、ゲスタゲン、テストステロン、アンドロステロン、エストリオール、エストラジオール、エストロン、フォスフェストロール、プロルトン、プロゲステロン、コルチコイド、コルチゾール、コルチゾン、アルドステロン、トリアムシノロン、アルカノール、ミリスチルアルコール、ステアリルアルコール、ステロール、アルキル−２−（Ｎ，Ｎ−二置換アミノ）−アルカノエート、アルキル−２−（Ｎ，Ｎ−二置換アミノ）−アルカノールアルカノエート、Ｎ−メチルピロリドン、ビリルビン、ビオチン、スルファメトキサゾール、１−置換アザシクロアルカン−２−オン、ラウロカプラム、（１−ドデシルアザシクロヘプタン−２−オン）および誘導体、シクロデキストリン、アザシクロアルケン、クロルヒドリン、グリシジルトリメチルアンモニウムハロゲニド、３−クロロ−２−ヒドロキシプロピルトリメチルアンモニウムハロゲニド、ドデシルトリメチルアンモニウムハロゲニド、ヘキサデシルトリメチルアンモニウムハロゲニド、テトラデシルトリメチルアンモニウムハロゲニド、フマル酸ステアリルナトリウム、フマル酸およびアルキル−（ポリオキシエチル）−ホスフェート、カラギーナンから選択されている、請求項１４に記載のバルーンカテーテル。